【手続補正書】
【提出日】平成16年9月28日(2004.9.28)
【手続補正１】
【補正対象書類名】明細書
【補正対象項目名】発明の名称
【補正方法】変更
【補正の内容】
【発明の名称】特許検索装置、特許検索装置の制御方法、制御プログラムおよび記録媒体、並びに検索装置、検索装置の制御方法、制御プログラム
【手続補正２】
【補正対象書類名】明細書
【補正対象項目名】特許請求の範囲
【補正方法】変更
【補正の内容】
【特許請求の範囲】
【請求項１】
検索対象とする特許文献に含まれる単語あるいは複合語を予め検索用語句として当該特許文献に関連づけて記憶する特許検索データベース部と、
検索元特許文献を解析し、当該条件設定用特許文献に含まれる単語あるいは複合語を検索条件語句として抽出する語句抽出部と、
前記検索用語句および前記検索条件語句を比較し、前記検索元特許文献に対して類似性の高い特許文献を前記検索元特許文献に関連性の高い特許文献として検索する検索部と、
を備えたことを特徴とする特許検索装置。
【請求項２】
請求項１記載の特許検索装置において、
各特許文献中の記載に基づいて、前記検索元特許文献と前記関連性の高い特許文献との間の参照関係を抽出する参照先抽出部を備えたことを特徴とする特許検索装置。
【請求項３】
請求項２記載の特許検索装置において、
前記特許検索データベース部は、抽出した前記参照関係に基づいて、前記検索元特許文書に対応づけて参照関係のある特許文献についての情報を格納する参照先データベース部を備えたことを特徴とする特許検索装置。
【請求項４】
請求項３記載の特許検索装置において、
前記参照先データベース部の情報に基づいて、前記検索元特許文献と前記関連性の高い特許文献との間の参照関係を表す図表を作成する図表作成部と、
前記図表作成部により作成された図表を提示するディスプレイ部と、
を備えたことを特徴とする特許検索装置。
【請求項５】
請求項１ないし請求項４のいずれかに記載の特許検索装置において、
前記検索元特許文献の形態素解析を行って前記単語あるいは前記複合語を抽出する形態素解析部と、
抽出された前記単語あるいは前記複合語の当該検索元特許文献における重要度を計算する重要度算出部と、
抽出された前記単語あるいは前記複合語を前記重要度に対応づけて前記特許検索データベース部に前記検索用語句として登録する登録部と、
を備えたことを特徴とする特許検索装置。
【請求項６】
請求項１ないし請求項５のいずれかに記載の特許検索装置において、
前記検索部は、前記検索用語句に対応するベクトルおよび前記検索条件語句に対応するベクトルの距離に基づいて関連性の高い特許文献を検索することを特徴とする特許検索装置。
【請求項７】
請求項１ないし請求項６記載の特許検索装置において、
前記特許文献は、複数の「請求項」の記載を含み、
前記検索部は、前記検索用語句に基づいて前記複数の「請求項」の相互間の従属関係を抽出する請求項解析部を備えたことを特徴とする特許検索装置。
【請求項８】
請求項７記載の特許検索装置において、
前記請求項解析部は、検索対象の「請求項」中に含まれる他の「請求項」の記載並びに当該検索対象の「請求項」および他の「請求項」の発明の名称に基づいて前記従属関係を抽出することを特徴とする特許検索装置。
【請求項９】
請求項８記載の特許検索装置において、
前記請求項解析部は、前記検索対象の「請求項」に前記他の「請求項」の記載があり、かつ、当該検索対象の「請求項」の発明の名称と前記他の「請求項」の発明の名称が同一である場合に、前記従属関係があると判別することを特徴とする特許検索装置。
【請求項１０】
請求項１ないし請求項６のいずれかに記載の特許検索装置において、
前記特許文献は、「請求項」の記載を含み、
前記検索部は、前記検索用語句に基づいて前記「請求項」の記載に含まれる構成要件を抽出する請求項解析部を備えたことを特徴とする特許検索装置。
【請求項１１】
検索対象とする特許文献に含まれる単語あるいは複合語を予め検索用語句として当該特許文献に関連づけて記憶する特許検索データベース部を有する特許検索装置の制御方法において、
検索元特許文献を解析し、当該条件設定用特許文献に含まれる単語あるいは複合語を検索条件語句として抽出する語句抽出過程と、
前記検索用語句および前記検索条件語句を比較し、前記検索元特許文献に対して類似性の高い特許文献を前記検索元特許文献に関連性の高い特許文献として検索する検索過程と、
を備えたことを特徴とする特許検索装置の制御方法。
【請求項１２】
請求項１１記載の特許検索装置の制御方法において、
各特許文献中の記載に基づいて、前記検索元特許文献と前記関連性の高い特許文献との間の参照関係を抽出する参照先抽出過程を備えたことを特徴とする特許検索装置の制御方法。
【請求項１３】
請求項１２記載の特許検索装置の制御方法において、
前記特許検索データベース部は、抽出した前記参照関係に基づいて、前記検索元特許文書に対応づけて参照関係のある特許文献についての情報を格納する参照先データベース部を備え、
前記参照先データベース部の情報に基づいて、前記検索元特許文献と前記関連性の高い特許文献との間の参照関係を表す図表を作成する図表作成過程と、
前記図表作成部により作成された図表を提示するディスプレイ過程と、
を備えたことを特徴とする特許検索装置の制御方法。
【請求項１４】
請求項１１ないし請求項１３のいずれかに記載の特許検索装置の制御方法において、
前記検索元特許文献の形態素解析を行って前記単語あるいは前記複合語を抽出する形態素解析過程と、
抽出された前記単語あるいは前記複合語の当該検索元特許文献における重要度を計算する重要度計算過程と、
抽出された前記単語あるいは前記複合語を前記重要度に対応づけて前記特許検索データベース部に前記検索用語句として登録する登録過程と、
を備えたことを特徴とする特許検索装置の制御方法。
【請求項１５】
請求項１１ないし請求項１４のいずれかに記載の特許検索装置の制御方法において、
前記検索過程は、前記検索用語句に対応するベクトルおよび前記検索条件語句に対応するベクトルの距離に基づいて関連性の高い特許文献を検索することを特徴とする特許検索装置の制御方法。
【請求項１６】
請求項１１ないし請求項１５記載の特許検索装置の制御方法において、
前記特許文献は、複数の「請求項」の記載を含み、
前記検索過程は、前記検索用語句に基づいて前記複数の「請求項」の相互間の従属関係を抽出する請求項解析過程を備えたことを特徴とする特許検索装置の制御方法。
【請求項１７】
請求項１６記載の特許検索装置の制御方法において、
前記請求項解析過程は、検索対象の「請求項」中に含まれる他の「請求項」の記載並びに当該検索対象の「請求項」および他の「請求項」の発明の名称に基づいて前記従属関係を抽出することを特徴とする特許検索装置の制御方法。
【請求項１８】
請求項１７記載の特許検索装置の制御方法において、
前記請求項解析過程は、前記検索対象の「請求項」に前記他の「請求項」の記載があり、かつ、当該検索対象の「請求項」の発明の名称と前記他の「請求項」の発明の名称が同一である場合に、前記従属関係があると判別することを特徴とする特許検索装置の制御方法。
【請求項１９】
請求項１１ないし請求項１５のいずれかに記載の特許検索装置の制御方法において、
前記特許文献は、「請求項」の記載を含み、
前記検索過程は、前記検索用語句に基づいて前記「請求項」の記載に含まれる構成要件を抽出する請求項解析過程を備えたことを特徴とする特許検索装置の制御方法。
【請求項２０】
検索対象とする特許文献に含まれる単語あるいは複合語を予め検索用語句として当該特許文献に関連づけて記憶する特許検索データベース部を有するコンピュータを特許検索装置として機能させる制御プログラムであって、
検索元特許文献を解析させ、当該条件設定用特許文献に含まれる単語あるいは複合語を検索条件語句として抽出させ、
前記検索用語句および前記検索条件語句を比較させ、前記検索元特許文献に対して類似性の高い特許文献を前記検索元特許文献に関連性の高い特許文献として検索させる、
ことを特徴とする制御プログラム。
【請求項２１】
請求項２０記載の制御プログラムにおいて、
各特許文献中の記載に基づいて、前記検索元特許文献と前記関連性の高い特許文献との間の参照関係を抽出させる、
ことを特徴とする制御プログラム。
【請求項２２】
請求項２０または請求項２１記載の制御プログラムにおいて、
前記特許文献は、複数の「請求項」の記載を含み、
前記検索用語句に基づいて前記複数の「請求項」の相互間の従属関係を抽出させる、ことを特徴とする制御プログラム。
【請求項２３】
請求項２０または請求項２１記載の制御プログラムにおいて、
前記特許文献は、「請求項」の記載を含み、
前記検索用語句に基づいて前記「請求項」の記載に含まれる構成要件を抽出させる、ことを特徴とする制御プログラム。
【請求項２４】
請求項２０ないし請求項２３のいずれかに記載の制御プログラムを記録したことを特徴とする記録媒体。
【請求項２５】
検索対象とする文献に含まれる単語あるいは複合語を予め検索用語句として当該文献に関連づけて記憶する検索データベース部と、
検索元文献を解析し、当該条件設定用文献に含まれる単語あるいは複合語を検索条件語句として抽出する語句抽出部と、
前記検索用語句および前記検索条件語句を比較し、前記検索元文献に対して類似性の高い文献を前記検索元文献に関連性の高い文献として検索する検索部と、
を備えたことを特徴とする検索装置。
【請求項２６】
検索対象とする文献に含まれる単語あるいは複合語を予め検索用語句として当該文献に関連づけて記憶する検索データベース部を有する検索装置の制御方法において、
検索元文献を解析し、当該条件設定用文献に含まれる単語あるいは複合語を検索条件語句として抽出する語句抽出過程と、
前記検索用語句および前記検索条件語句を比較し、前記検索元文献に対して類似性の高い文献を前記検索元文献に関連性の高い文献として検索する検索過程と、
を備えたことを特徴とする検索装置の制御方法。
【請求項２７】
検索対象とする文献に含まれる単語あるいは複合語を予め検索用語句として当該文献に関連づけて記憶する検索データベース部を有するコンピュータを検索装置として機能させる制御プログラムであって、
検索元文献を解析させ、当該条件設定用文献に含まれる単語あるいは複合語を検索条件語句として抽出させ、
前記検索用語句および前記検索条件語句を比較させ、前記検索元文献に対して類似性の高い文献を前記検索元文献に関連性の高い文献として検索させる、
ことを特徴とする制御プログラム。
【手続補正３】
【補正対象書類名】明細書
【補正対象項目名】００５２
【補正方法】変更
【補正の内容】
【００５２】
［２．２］第２変形例
以上の説明においては、標準化部６６（あるいは標準化部１１５）を必須の構成として説明したが、必ずしも標準化部６６を設けなくてもデータベースの容量は多少増加するというデメリットはあるが、ほぼ同様な効果を得ることが可能である。